(57)【特許請求の範囲】
【請求項１】
アイライナー化粧料を塗布するための塗布体を備えたアイライナー塗布具であって、
前記塗布体は、その先端面が、アイラインをスタンプにより形成するスタンプ面とされ、
前記スタンプ面は、１辺の上辺及び１辺の下辺により囲まれて構成され、
前記下辺は、まぶたの縁に合うように上方に湾曲し、
前記下辺と当該下辺の両端にそれぞれ繋がり前記両端から中央に向かうに連れて前記下辺からの離間幅が徐々に広くなるように上方へ湾曲する上辺とが成す角度の各々が、鋭角を成していることを特徴とするアイライナー塗布具。
【請求項２】
前記塗布体を先端に有し、前記塗布体より後側に形成された収容部内のアイライナー化粧料が前記塗布体に供給されることを特徴とする請求項１記載のアイライナー塗布具。
【発明の詳細な説明】
【技術分野】
【０００１】
本発明は、アイライナー化粧料を塗布するためのアイライナー塗布具に関する。
【背景技術】
【０００２】
従来、アイラインを描く際には、アイライナー塗布具（単にアイライナーとも呼ぶ）の先端に設けられアイライナー化粧料が付いた塗布体を、まぶたの縁（睫毛の生え際辺り）に当て、当該塗布体をまぶたの縁に沿って移動させることにより、アイライナー化粧料を塗布する。このようなアイライナー塗布具としては、塗布体をブラシとしたもの（例えば特許文献１参照）や、所定厚の扁平形状のナイロン繊維束としたもの（例えば特許文献２参照）が知られている。
【先行技術文献】
【特許文献】
【０００３】
【特許文献１】特許４３９２８４７号公報
【特許文献２】特開２０１２−２３９７３９号公報
【発明の概要】
【発明が解決しようとする課題】
【０００４】
ここで、アイラインは湾曲していると共に、ある程度の太さを有するため、上記何れの塗布体であっても、描くのに手間がかかるという問題がある。また、目頭や目尻の先細りのラインを描く場合、塗布体をブラシとしたものでは、先細りのラインを安定して描くのは難しく、また、塗布体を所定厚の扁平形状のナイロン繊維束としたものでは、塗布体を横引きしながら先細りのラインを描くことができず、繊維束の角等を利用して描く必要があり、従って、この場合も、安定して描くのは難しい。さらに、目尻に、流行の先細っていく跳ね上げライン（図９の図示左側の上に跳ね上げているアイラインＬ参照）を描く場合には、その描画は特に難しく高い技量を要する。
【０００５】
そこで、本発明は、アイラインを安定して簡単に描くことができると共に、目尻の先細りの跳ね上げラインを容易に形成できるアイライナー塗布具を提供することを目的とする。
【課題を解決するための手段】
【０００６】
本発明によるアイライナー塗布具は、アイライナー化粧料を塗布するための塗布体を備えたアイライナー塗布具であって、塗布体は、その先端面が、アイラインをスタンプにより形成するスタンプ面とされ、スタンプ面は、１辺の上辺及び１辺の下辺により囲まれて構成され、下辺は、まぶたの縁に合うように上方に湾曲し、下辺と当該下辺の両端にそれぞれ繋がり両端から中央に向かうに連れて下辺からの離間幅が徐々に広くなるように上方へ湾曲する上辺とが成す角度の各々が、鋭角を成していることを特徴としている。
【０００７】
このようなアイライナー塗布具によれば、塗布体先端のスタンプ面のその下辺と上辺とが繋がり鋭角を成す一方端側を、目頭に合わせると共に、まぶたの縁に合うように上方に湾曲した下辺をまぶたの縁に合わせ、この状態でスタンプ面をまぶたにスタンプする（押し付ける）ことにより、目頭に先細りとなるアイラインを形成できると共に、目頭より中央側に向けて所定幅のアイラインを同時に形成できる。そして、スタンプ面をそのまままぶたの縁に合わせてずらす、又は、ずらしながらスタンプすることにより、目尻側に向けて所定幅のアイラインを形成できる。さらに、この状態からスタンプ面を１８０°回転し、目頭を描いた一方端側を目尻に合わせてスタンプすれば、目尻に先細りの跳ね上げラインを形成できる。このようにアイラインをスタンプにより描くため、アイラインを安定して簡単に描くことができると共に、目尻の先細りの跳ね上げラインを容易に形成できる。
【０００８】
ここで、上記作用を好適に奏するアイライナー塗布具の構成としては、具体的には、塗布体を先端に有し、塗布体より後側に形成された収容部内のアイライナー化粧料が塗布体に供給される構成が挙げられる。
【発明の効果】
【０００９】
このように本発明によれば、アイラインを安定して簡単に描くことができると共に、目尻の先細りの跳ね上げラインを容易に形成できるアイライナー塗布具を提供できる。
【図面の簡単な説明】
【００１０】
【図１】本発明の第１実施形態に係るアイライナー塗布具を示す縦断面図である。
【図２】図１からキャップを取り外した状態のII-II矢視図である。
【図３】図２に示すアイライナー塗布具を上方から見た斜視図である。
【図４】図２に示すアイライナー塗布具を下方から見た斜視図である。
【図５】図３中の塗布体を上方から見た斜視図である。
【図６】図４中の塗布体を下方から見た斜視図である。
【図７】図５及び図６に示す塗布体の正面図である。
【図８】図７の左側面図である。
【図９】図１〜図４のアイライナー塗布具を用いアイラインを描く場合の説明図である。
【図１０】本発明の第２実施形態に係るアイライナー塗布具のスタンプ面を示す正面図である。
【図１１】本発明の第３実施形態に係るアイライナー塗布具のスタンプ面を示す正面図である。
【図１２】本発明の第４実施形態に係るアイライナー塗布具のスタンプ面を示す正面図である。
【図１３】本発明の第５実施形態に係るアイライナー塗布具のスタンプ面を示す正面図である。
【図１４】本発明の第６実施形態に係るアイライナー塗布具のスタンプ面を示す正面図である。
【発明を実施するための形態】
【００１１】
以下、本発明によるアイライナー塗布具の好適な実施形態について図１〜図１４を参照しながら説明する。図１〜図９は、本発明の第１実施形態を、図１０は、本発明の第２実施形態を、図１１は、本発明の第３実施形態を、図１２は、本発明の第４実施形態を、図１３は、本発明の第５実施形態を、図１４は、本発明の第６実施形態を各々示すものであり、各図において、同一の要素には同一の符号を付し、重複する説明は省略する。
【００１２】
先ず、図１〜図９に示す第１実施形態を説明する。
【００１３】
図１は、本発明の第１実施形態に係るアイライナー塗布具を示す縦断面図、図２は、図１からキャップを取り外した状態のII-II矢視図、図３及び図４は、アイライナー塗布具を示す各斜視図、図５〜図８は、塗布体を示す各図、図９は、アイライナー塗布具を用いアイラインを描く場合の説明図であり、本実施形態のアイライナー塗布具は、アイライナー化粧料をまぶたの縁に沿って塗布する際に用いられるものである。
【００１４】
図１〜図４に示すように、アイライナー塗布具１００は、使用者により把持される把持部１と、把持部１の先端側に装着されたアイライナー化粧料収容部２と、アイライナー化粧料収容部２の先端側に装着された塗布体ホルダ３と、塗布体ホルダ３に保持された塗布体４と、塗布体４を覆うキャップ５（図１参照）と、を概略備える。
【００１５】
把持部１は、例えばＰＰ（ポリプロピレン）等の樹脂から形成され、有底円筒形状に構成される。図１及び図２に示すように、把持部１の内周面の軸線方向途中には、アイライナー化粧料収容部２の後端面を突き当てるための段差部１ａが形成される。また、把持部１の先端側の内周面には、軸線方向に凸凹が並設された係合部１ｂが、アイライナー化粧料収容部２を装着するためのものとして形成される。
【００１６】
アイライナー化粧料収容部２は、例えばＰＰ等の樹脂から形成され、有底円筒形状に構成される。アイライナー化粧料収容部２の外周面の軸線方向途中には、把持部１の先端面に突き当てるための鍔部２ａが形成され、鍔部２ａより後側の外周面には、把持部１の凸凹状の係合部１ｂに軸線方向に係合するための凹凸状の係合部２ｂが形成される。また、アイライナー化粧料収容部２の鍔部２ａより前側の外周面には、軸線方向に凸凹が並設された係合部２ｃが、キャップ５を装着するためのものとして形成される。そして、アイライナー化粧料収容部２内の内部空間には、アイライナー化粧料を含浸した中綿６が配置される。中綿６は、例えばポリエステル等から形成される。
【００１７】
アイライナー化粧料収容部２は、その後端側から把持部１内に挿入され、その後端面が、把持部１の段差部１ａに突き当てられると共に、その鍔部２ａの後端面が、把持部１の先端面に突き当てられ、その凹凸状の係合部２ｂが、把持部１の凸凹状の係合部１ｂに係合することにより、把持部１に装着される。
【００１８】
塗布体ホルダ３は、例えばＰＰ等の樹脂から形成され、段付き筒形状に構成される。具体的には、段差部３ａを含む後側の後半部は円筒形状に構成され、この段差部３ａより先端側の前半部は、図１〜図４に示すように、先端側へ向かうに従い円筒形状が徐々に狭まり楕円筒形状と成るように構成される。
【００１９】
塗布体ホルダ３は、その後半部がアイライナー化粧料収容部２内に進入し、その段差部３ａがアイライナー化粧料収容部２の先端面に突き当てられることにより、アイライナー化粧料収容部２に嵌着される。
【００２０】
塗布体４は、ここでは、例えば、ナイロン、オレフィン、ポリエステル等から成る繊維を、熱・機械的または化学的な作用によって接着または絡み合わせたものを研磨して成形した研磨チップ、若しくは、シート状に接着または絡み合わせたものを刃で打ち抜いて成形した打ち抜きチップ、又は、ＰＶＡ（ポリビニルアルコール）やポリウレタン等の粉体を高温で固結して成形した焼結チップ、又は、ポリエチレン、ポリウレタン等の樹脂を炭酸カルシウム等と共に型に流し込み発泡成形したポーラスチップ等であるが、スポンジやフェルト、エラストマー等であっても良い。このような塗布体４は、図１〜図８に示すように、前側から後側に向けて塗布部４ａ、嵌着部４ｂ、軸体部４ｃを備える。
【００２１】
嵌着部４ｂは、塗布体ホルダ３の先端の楕円筒内に嵌着可能な外周面を有する楕円柱形状に構成される。
【００２２】
軸体部４ｃは、嵌着部４ｂに連設される先端の断面が、嵌着部４ｂを形成する楕円柱形状の短軸と同径の円形断面とされ、後端に向かって徐々に径が細くなる截頭円錐台形状を呈する。
【００２３】
塗布部４ａは、図７に示すように、正面視において略三日月状に形成され、その三日月状を成す先端面が、アイラインをスタンプにより形成するスタンプ面４ｄとされる。図５〜図８に示すように、スタンプ面４ｄは、上辺４ｆ及び下辺４ｅにより囲まれて構成される平坦面である。具体的には、下辺４ｅは、まぶたの縁（図９の符号Ｙ参照）に合うように上方に湾曲し、上辺４ｆは、下辺４ｅとの連結点と成る両端から中央に向かうに連れて下辺４ｅからの離間幅が徐々に広くなるように上方に湾曲する形状（ここでは楕円のほぼ上半分の形状）を呈する。上辺４ｆの両端は、下辺４ｅの両端にそれぞれ角度θ１，θ２（図７参照）を成すように繋がり、スタンプ面４ｄの一方端４ｈ及び他方端４ｇがそれぞれ形成される。スタンプ面４ｄは、左右対称（図７参照）とされ、角度θ１，θ２は、ここでは、ともに鋭角とされる。また、スタンプ面４ｄの一方端４ｈ側及び他方端４ｇ側の上下方向の高さであるアイライン幅は、概ね、目頭側や目尻側のアイラインとして最適な幅とされている。そして、スタンプ面４ｄの上辺４ｆ及び下辺４ｅはそれぞれ後方へ向かうに従い拡径し、具体的には、上辺４ｆは小さく拡径すると共に下辺４ｅは大きく拡径し、嵌着部４ｂ先端の楕円柱形状を成す外周面に繋がるように構成される。
【００２４】
図１及び図２に示すように、塗布体４は、その軸体部４ｃ側から塗布体ホルダ３内に挿入され、その楕円柱形状の嵌着部４ｂが、塗布体ホルダ３の先端の楕円筒形状の筒孔に嵌着することにより、塗布体ホルダ３に装着される。この状態で、塗布体４の嵌着部４ｂの後端面とアイライナー化粧料収容部２の底部との間に中綿６が挟み込まれると共に、中綿６の先端側に塗布体４の軸体部４ｃが差し込まれた状態となっている。
【００２５】
図１に示すように、キャップ５は、例えばＰＰ等の樹脂から形成され、有底円筒形状に構成される。キャップ５の開放端側の内周面には、アイライナー化粧料収容部２の凸凹状の係合部２ｃに軸線方向に係合するための凹凸状の係合部５ｃが形成される。
【００２６】
キャップ５は、その開放端側から容器先端に外挿され、その凹凸状の係合部５ｃが、アイライナー化粧料収容部２の凸凹状の係合部２ｃに軸線方向に係合することにより、容器先端に着脱可能に装着される。このキャップ５の容器先端への装着により、塗布体４が保護されると共にアイライナー化粧料の揮散が防止される。
【００２７】
このように構成されたアイライナー塗布具１００にあっては、中綿６に含浸されたアイライナー化粧料は、毛細管現象により塗布体４へ供給される。そして、塗布体４により上まぶたのアイラインを描く場合には、使用者は、先ず、把持部１を把持してキャップ５を取り外し、次いで、スタンプ面４ｄの一方端４ｈ側を、目頭Ｘに合わせる（以降図９参照）と共に、まぶたの縁Ｙに合うように上方に湾曲した下辺４ｅを、まぶたの縁Ｙに合わせ、この状態でスタンプ面４ｄをまぶたにスタンプする（押し付ける）。これにより、目頭Ｘに、先細りとなるアイラインを１回で形成できると共に、目頭Ｘより中央側に向けて所定幅のアイライン（図中に黒で描かれた太い線）を同時に形成できる。
【００２８】
次いで、スタンプ面４ｄをそのまままぶたの縁Ｙに合わせてずらす、又は、ずらしながらスタンプする。これにより、目尻Ｚ側に向けて所定幅のアイラインを形成できると共に、スタンプ面４ｄの他方端４ｇ側により目尻Ｚに先細りとなるアイラインを同時に形成できる。さらに、この状態からスタンプ面４ｄを１８０°回転し、目頭Ｘを描いた一方端４ｈ側を目尻Ｚに合わせてスタンプすれば、目尻Ｚに先細りの跳ね上げラインＬを１回で形成できる。なお、ここでは、右目のアイラインを描く場合について述べているが、左目のアイラインを描く場合には、スタンプ面４ｄの他方端４ｇ側が目頭側になると共に、一方端４ｈ側が目尻側となり、スタンプ面４ｄを１８０°回転し他方端４ｇ側により、左目の目尻の跳ね上げラインＬを描くことになる。すなわち、１個のアイライナー塗布具１００により、両目のアイラインを形成できる。
【００２９】
このように、本実施形態によれば、塗布体４の先端面が、アイラインをスタンプにより形成するスタンプ面４ｄとされ、スタンプ面４ｄは、上辺４ｆ及び下辺４ｅにより囲まれて構成され、下辺４ｅは、まぶたの縁Ｙに合うように上方に湾曲し、下辺４ｅと当該下辺４ｅの両端にそれぞれ繋がる上辺４ｆとが成す角度θ１，θ２が、鋭角を成しているため、アイラインをスタンプ面４ｄによるスタンプにより描くことができ、アイラインを安定して簡単に描くことができると共に、目尻Ｚの先細りの跳ね上げラインＬを容易に形成できる。
【００３０】
図１０〜図１４は、本発明の第２〜第６実施形態を示すものであり、これらの実施形態が第１実施形態と違う点は、スタンプ面の形状を変更した点である。
【００３１】
以下、個々の実施形態について説明する。
【００３２】
図１０は、本発明の第２実施形態に係るアイライナー塗布具のスタンプ面を示す正面図である。
【００３３】
この第２実施形態のスタンプ面１４ｄにあっては、下辺１４ｅは、まぶたの縁に合うように上方に湾曲し、上辺１４ｆは、下辺１４ｅを上方に反転し下方に湾曲する辺１４ｆ１と、この下方に湾曲する辺１４ｆ１の端から垂下し下辺１４ｅの端に繋がる辺１４ｆ２と、を有する構成とされ、上下対称のスタンプ面とされる。そして、下辺１４ｅと上辺１４ｆ（辺１４ｆ１）とが成す一方端側の角度θ１は鋭角とされ、下辺１４ｅと上辺１４ｆ（辺１４ｆ２）とが成す他方端側の角度θ２は角度θ１より大きい鋭角とされる。
【００３４】
このようなスタンプ面１４ｄにより上まぶたのアイラインを描く場合には、スタンプ面１４ｄの一方端側である角度θ１側を、目頭Ｘ（図９参照）に合わせると共に、まぶたの縁Ｙに合うように上方に湾曲した下辺１４ｅを、まぶたの縁Ｙに合わせ、この状態でスタンプ面１４ｄをまぶたにスタンプする（押し付ける）。これにより、目頭Ｘに、先細りとなるアイラインを１回で形成できると共に、目頭Ｘより中央側に向けて所定幅のアイラインを同時に形成できる。
【００３５】
次いで、スタンプ面１４ｄをそのまままぶたの縁Ｙに合わせてずらす、又は、ずらしながらスタンプする。これにより、目尻Ｚ側に向けて所定幅のアイラインを形成できる。なお、第１実施形態と同様に、目尻Ｚ側に向けて所定幅のアイラインは形成できるが、角度θ２は大きい鋭角とされているため、目尻Ｚに、違和感のない幅で徐々に先細になると共に下方へ下がるアイラインを形成することはできない。そして、このように目尻Ｚ側に向けて所定幅のアイラインを形成したら、スタンプ面１４ｄを１８０°回転し、目頭Ｘを描いた角度θ１側を目尻Ｚに合わせてスタンプすれば、目尻Ｚに先細りの跳ね上げラインＬを１回で形成できる。なお、ここでは、右目のアイラインを描く場合について述べているが、左目のアイラインを描く場合には、スタンプ面１４ｄが上下対称のため、スタンプ面１４ｄを１８０°回転し、右目の場合と同様に、スタンプ面１４ｄの角度θ１側を目頭Ｘに合わせ、以降は、右目の場合と同様にして使用する。
【００３６】
このような第２実施形態にあっても、塗布体の先端面が、アイラインをスタンプにより形成するスタンプ面１４ｄとされ、スタンプ面１４ｄは、上辺１４ｆ及び下辺１４ｅにより囲まれて構成され、下辺１４ｅは、まぶたの縁Ｙに合うように上方に湾曲し、下辺１４ｅと当該下辺１４ｅの両端にそれぞれ繋がる上辺１４ｆとが成す角度θ１，θ２のうちの一方端側の角度θ１が、鋭角を成しているため、アイラインをスタンプ面１４ｄによるスタンプにより描くことができ、アイラインを安定して簡単に描くことができると共に、目尻Ｚの先細りの跳ね上げラインＬを容易に形成できる。
【００３７】
図１１は、本発明の第３実施形態に係るアイライナー塗布具のスタンプ面を示す正面図である。
【００３８】
この第３施形態が第２実施形態と違う点は、第２実施形態の辺１４ｆ２を、図示右側に半円状に膨らむ辺１５ｆ２に代えた点である。この変更により、辺１４ｆ１と辺１５ｆ２とにより上辺１５ｆが構成されると共に、上辺１５ｆ及び下辺１４ｅによりスタンプ面１５ｄが構成される。そして、このような構成により、下辺１４ｅと上辺１５ｆ（辺１４ｆ１）とが成す一方端側の角度θ１は、第２実施形態と同様な鋭角とされ、下辺１４ｅと上辺１５ｆ（辺１５ｆ２）とが成す他方端側の角度θ２は、鋭角ではなく鈍角とされる。
【００３９】
このようなスタンプ面１５ｄにより上まぶたのアイラインを描く場合は、第２実施形態のスタンプ面１４ｄと同様であり、同様な作用・効果を奏する。すなわち、塗布体の先端面が、アイラインをスタンプにより形成するスタンプ面１５ｄとされ、スタンプ面１５ｄは、上辺１５ｆ及び下辺１４ｅにより囲まれて構成され、下辺１４ｅは、まぶたの縁Ｙに合うように上方に湾曲し、下辺１４ｅと当該下辺１４ｅの両端にそれぞれ繋がる上辺１５ｆとが成す角度θ１，θ２のうちの一方端側の角度θ１が、鋭角を成しているため、アイラインをスタンプ面１５ｄによるスタンプにより描くことができ、アイラインを安定して簡単に描くことができると共に、目尻Ｚの先細りの跳ね上げラインＬを容易に形成できる。
【００４０】
図１２は、本発明の第４実施形態に係るアイライナー塗布具のスタンプ面を示す正面図である。
【００４１】
この第４実施形態が第３実施形態と違う点は、第３実施形態の辺１４ｆ１を、上方に湾曲する辺１６ｆ１に代えた点である。この変更により、辺１６ｆ１と辺１５ｆ２とにより上辺１６ｆが構成されると共に、上辺１６ｆ及び下辺１４ｅによりスタンプ面１６ｄが構成される。そして、このような構成により、下辺１４ｅと上辺１６ｆ（辺１６ｆ１）とが成す一方端側の角度θ１は、第３実施形態と同様に鋭角とされ、下辺１４ｅと上辺１６ｆ（辺１５ｆ２）とが成す他方端側の角度θ２は、第３実施形態と同様な鈍角とされる。
【００４２】
このようなスタンプ面１６ｄにより上まぶたのアイラインを描く場合は、第３実施形態のスタンプ面１５ｄと同様であり、同様な作用・効果を奏する。なお、スタンプ面１６ｄは、上下対称ではないため、図１２に示すものは右目用である。従って、左目のアイラインを描く場合には、スタンプ面１６ｄを左右方向に反転したスタンプ面を有するペアのアイライナー塗布具が必要となる。
【００４３】
図１３は、本発明の第５実施形態に係るアイライナー塗布具のスタンプ面を示す正面図である。
【００４４】
この第５実施形態が第４実施形態と違う点は、第４実施形態の下辺１４ｅを、延在方向への延びを短くした下辺１７ｅに代えると共に、第４実施形態の辺１５ｆ２を、直線状に傾斜する辺１７ｆ２に代えた点である。この変更により、辺１６ｆ１と辺１７ｆ２とにより上辺１７ｆが構成されると共に、上辺１７ｆ及び下辺１７ｅによりスタンプ面１７ｄが構成される。そして、このような構成により、下辺１７ｅと上辺１７ｆ（辺１６ｆ１）とが成す一方端側の角度θ１は、第３実施形態と同様な鋭角とされ、下辺１７ｅと上辺１７ｆ（辺１７ｆ２）とが成す他方端側の角度θ２は、第３実施形態と同様に鈍角とされる。
【００４５】
このようなスタンプ面１７ｄにより上まぶたのアイラインを描く場合、第４実施形態のスタンプ面１６ｄと同様であり、同様な作用・効果を奏する。
【００４６】
図１４は、本発明の第６実施形態に係るアイライナー塗布具のスタンプ面を示す正面図である。
【００４７】
この第６実施形態が第５実施形態と違う点は、第５実施形態の辺１６ｆ１を、下方に湾曲する辺１８ｆ１に代えた点である。この変更により、辺１８ｆ１と辺１７ｆ２とにより上辺１８ｆが構成されると共に、上辺１８ｆ及び下辺１７ｅによりスタンプ面１８ｄが構成される。なお、辺１７ｆ２は上記変更に伴い長さが長くされている。そして、このような構成により、下辺１７ｅと上辺１８ｆ（辺１８ｆ１）とが成す一方端側の角度θ１は、第５実施形態と同様に鋭角とされ、下辺１７ｅと上辺１８ｆ（辺１７ｆ２）とが成す他方端側の角度θ２は、第５実施形態と同様な鈍角とされる。
【００４８】
このようなスタンプ面１８ｄにより上まぶたのアイラインを描く場合、第５実施形態のスタンプ面１７ｄと同様であり、同様な作用・効果を奏する。
【００４９】
以上、本発明をその実施形態に基づき具体的に説明したが、本発明は上記実施形態に限定されるものではなく、例えば、上記実施形態においては、スタンプ面の上辺を湾曲する形状としているが、例えば、三角状に凸になる形状としても良く、また、階段状に凸となる形状としても良く、種々の形状を採用できる。
【００５０】
また、上記実施形態においては、アイライナー化粧料を含んだ中綿からアイライナー化粧料を塗布体に供給する中綿式のアイライナー塗布具としているが、容器内にアイライナー化粧料を直接充填し、このアイライナー化粧料をジャバラ式やバルブ式等により塗布体に供給する直液式等であっても良い。
【００５１】
また、押出機構によりアイライナー化粧料を押し出すアイライナー塗布具や、使用者の押圧力によりアイライナー化粧料を押し出すことができるチューブやソフトボトル等のスクイーズタイプのアイライナー塗布具に対しても適用可能である。さらには、アイライナー化粧料を収容せずに、塗布体にアイライナー化粧料を付着させてアイラインを描くタイプのアイライナー塗布具に対しても適用でき、この場合、塗布体にアイライナー化粧料を付着させるには、塗布体をアイライナー化粧料に直接浸して付着させても良く、アイライナー化粧料を含浸させた含浸体に塗布体を押し当てて付着させても良い。
【符号の説明】
【００５２】
２…アイライナー化粧料収容部、４…塗布体、４ｄ，１４ｄ〜１８ｄ…スタンプ面、４ｅ，１４ｅ，１７ｅ…下辺、４ｆ，１４ｆ〜１８ｆ…上辺、６…中綿、１００…アイライナー塗布具、θ１，θ２…上辺と下辺とが成す角度。
【図１】
0006586603.tif 000002
【図２】
0006586603.tif 000003
【図３】
0006586603.tif 000004
【図４】
0006586603.tif 000005
【図５】
0006586603.tif 000006
【図６】
0006586603.tif 000007
【図７】
0006586603.tif 000008
【図８】
0006586603.tif 000009
【図９】
0006586603.tif 000010
【図１０】
0006586603.tif 000011
【図１１】
0006586603.tif 000012
【図１２】
0006586603.tif 000013
【図１３】
0006586603.tif 000014
【図１４】
0006586603.tif 000015